(57)【要約】【課題】突固めユニットの動作最適化が得られる方法を提供する。【解決手段】各突固めサイクル（ｓｚ）を、突固めツール（２）が振動される振動シーケンス（ｘ）と、突固めツール（２）が振動しない無振動シーケンス（ｙ）とから構成するようにした。【選択図】図３
2006125188.tif 000002
【特許請求の範囲】
【請求項１】
軌道の枕木下の道床を突き固めるための方法であって、高さ調節可能な突固めユニット（１）に支承された突固めツール（２）を、液圧式の締込み駆動装置（８）によって軌道長手方向で相互に締め込むことができ且つ振動駆動装置（１８）によって振動させることができ、突固めユニット（１）を、突固めの度に反復する突固めサイクル（ｓｚ）で、突固めツール（２）を道床（１７）に侵入させるために下降させ、道床（１７）を突き固めた後に上昇させ、最後に次の枕木（４）の下を突き固めるために送り運動させる形式のものにおいて、
各突固めサイクル（ｓｚ）を、突固めツール（２）が振動される振動シーケンス（ｘ）と、突固めツール（２）が振動しない無振動シーケンス（ｙ）とから構成することを特徴とする、枕木下の道床を突き固めるための方法。
【請求項２】
振動シーケンス（ｘ）において、突固めツール（２）を道床（１７）に侵入させ且つ道床突固めのために相互に締め込む、請求項１記載の方法。
【請求項３】
無振動シーケンス（ｙ）において、突固めツール（２）を上昇させて、次の突固めのために送り運動させる、請求項１記載の方法。
【請求項４】
振動シーケンス（ｘ）を、突固めツール（２）のそれぞれ異なる突固め周波数（ｆ）を有する２つの連続区分から構成する、請求項１又は２記載の方法。
【請求項５】
突固めツール（２）を道床（１７）への侵入中に、後続の突固めツール（２）の締込み運動中の締込み周波数と比べて高められた侵入周波数で振動させる、請求項４記載の方法。
【発明の詳細な説明】
【技術分野】
【０００１】
本発明は、軌道の枕木下の道床を突き固めるための方法であって、高さ調節可能な突固めユニットに支承された突固めツールを、液圧式の締込み駆動装置によって軌道長手方向で相互に締め込むことができ且つ振動駆動装置によって振動させることができ、突固めユニットを、突固めの度に反復する突固めサイクルで、突固めツールを道床に侵入させるために下降させ、道床を突き固めた後に上昇させ、最後に次の枕木の下を突き固めるために送り運動させる形式のものに関する。
【背景技術】
【０００２】
軌道の枕木下の道床を突き固めるための突固めユニットは、例えば米国特許第４２４０３５２号明細書、オーストリア国特許第３３９３５８号明細書、ヨーロッパ特許第０３３１９５６号明細書又は米国特許第４０６８５９５号明細書等に基づいて既に多様に公知である。突固めツールに作用する振動は、偏心軸によって又はリニア駆動装置における液圧パルスによって形成することができ、前記リニア駆動装置は、同時に突固めツールの締込み運動も実施する。
【特許文献１】米国特許第４２４０３５２号明細書
【特許文献２】オーストリア国特許第３３９３５８号明細書
【特許文献３】ヨーロッパ特許第０３３１９５６号明細書
【特許文献４】米国特許第４０６８５９５号明細書
【発明の開示】
【発明が解決しようとする課題】
【０００３】
本発明の課題は、突固めユニットの動作最適化が得られる、冒頭で述べた形式の方法を提供することである。
【課題を解決するための手段】
【０００４】
この課題を解決するために本発明では、各突固めサイクルを、突固めツールが振動される振動シーケンスと、突固めツールが振動しない無振動シーケンスとから構成するようにした。
【発明の効果】
【０００５】
この方法によって、突固めツールの振動は本来の作業動作に低減され、これにより、振動の結果生じる突固めユニットへの不都合な影響若しくは騒音の形の環境への不都合な影響が、従来の持続振動に比べて約３分の２だけ低減可能である。作業室内で作業員に不都合に作用する振動も、著しく減少される。
【０００６】
本発明の別の有利な改良は従属請求項に記載されている。
【発明を実施するための最良の形態】
【０００７】
以下に、本発明を実施するための最良の形態を図面につき詳しく説明する。
【０００８】
図１及び図２に示した突固めユニット１は、それぞれ突固めツール２と結合された、レバーとして働く２つの突固め工具３を有しており、これらの突固め工具３は、通常枕木４に面して延びる機械長手方向５で互いに隔てられている。突固め工具３は、旋回軸線６を中心として旋回可能に工具支持体７に支承されており且つそれぞれ液圧式の締込み駆動装置８と結合されている。この締込み駆動装置８は、それぞれ枢着箇所９を介して工具支持体７に枢着されており、この工具支持体７は、駆動装置１０によって突固め機械１２（図１）の機械フレーム１１に対して相対的に高さ調節可能である。突固め機械１２は、走行駆動装置１３によって軌道１４上を移動可能である。
【０００９】
リニア駆動装置として働く締込み駆動装置８は、リニアな締込み運動１５のみならず、同時に（例えばオーストリア国特許第３３９３５８号明細書、ヨーロッパ特許第０３３１９５６号明細書又は米国特許第４０６８５９５号明細書に基づき）公知の形式で突固めツール２に必要な振動を振動駆動装置１８（概略的に図示）によって発生させるように構成されている。このためには、距離センサ１６の設けられた締込み駆動装置８は、液圧装置（図示せず）の適当なサーボ弁によって制御される。これにより、締込み速度、振動振幅、振動振幅形状及び周波数が規定され得る。
【００１０】
図３には、線ａで突固めツール２の持ち上げられた状態が示されており、この持ち上げられた状態では、突固めツール２は枕木４の上位に位置しており且つ突固め機械１２の前進によって支障無く機械長手方向５で運動可能である。線ａの下に位置する線ｂによって突固めツール２の最下位の位置が示されており、この最下位の位置で締込み運動１５によって枕木４の下位に位置する道床１７の突固めが実施される。最下位の線ｔは、突固め動作に必要な時間及び振動周波数ｆを示している。
【００１１】
突固めサイクルｓｚは、駆動装置１０の作動及び突固めユニット１の下降によるＡからＢへの突固めツール２の下降運動で開始する。次いで、両締込み駆動装置８の作動に基づいて、侵入した両突固めツール２の相互締込み運動１５（ＢからＣ）が行われ、これにより、両突固めツール２間に位置する道床１７が突き固められる。道床を突き固めた後に、突固めツール２の上昇（ＣからＤ）及び突固めユニット１の次の枕木４への前進（ＤからＥ）が行われる。これを以て、枕木４の下の道床を突き固めるために必要な突固めサイクルｓｚが終了する。
【００１２】
これと平行して、前記下降運動（Ａ点）を以て突固めツール２を振動させるための振動駆動装置１８が作動され且つ突固めユニット１の上昇（Ｃ点）を以て自動的に停止される。従って、各突固めサイクルｓｚは、Ａ〜Ｃまで続く振動シーケンスｘと、Ｃ〜Ｅまで続く無振動シーケンスｙとから構成されている。
【００１３】
その結果、今や突固めツール振動の不都合な影響は著しく減少され、突固めユニット１の著しく長い耐用年数が期待される。更に、騒音発生が低下される。侵入動作中（Ａ〜Ｂ）に振動周波数を高め（例えば６０ヘルツ）且つ突固め動作中（Ｂ〜Ｃ）は有利であることが判った３５ヘルツの周波数に低下させることは利点であり且つ簡単に実現可能である。これにより、特に団結した道床の場合に突固めツール２の容易な侵入延いては突固め能力の向上が保証されている。
【００１４】
振動する突固めツール２の振幅は、振動駆動装置１８の電子制御装置によって規定されてよい。従って、振幅は支配的な動作条件に簡単に適合され得る（例えば緩い道床における比較的大きな突固め振幅）。振幅の形状も影響されてよい。例えば、１振幅中の突固めツール２の前進運動は、後退運動よりも低速であってよい（鋸歯状振幅）。締込み速度も動作条件に適合され得る。
【図面の簡単な説明】
【００１５】
【図１】突固め機械を示した図である。
【図２】突固めユニットを示した図である。
【図３】突固めツールの下降運動及びこれに平行した個別振動シーケンスを示した図である。
【符号の説明】
【００１６】
１  突固めユニット、  ２  突固めツール、  ３  突固め工具、  ４  枕木、  ５  機械長手方向、  ６  旋回軸線、  ７  工具支持体、  ８  締込み駆動装置、  ９  枢着箇所、  １０  駆動装置、  １１  機械フレーム、  １２  突固め機械、  １３  走行駆動装置、  １４  軌道、  １５  締込み運動、  １６  距離センサ、  １７  道床、  １８  振動駆動装置
【図１】
2006125188.tif 000003
【図２】
2006125188.tif 000004
【図３】
2006125188.tif 000005